(57)【特許請求の範囲】
【請求項１】
複数の紙片が重ね合わされて剥離可能に接着されてなる情報通知シートであって、
前記複数の紙片のうち該複数の紙片が接着された状態で表出する１つの紙片には、複数の個別利用片がミシン線またはハーフスリットによって互いに分離可能に区画形成されており、
前記複数の紙片は、前記接着された状態での厚みが２００μｍ以上で、かつ、前記接着された状態でのガーレー法で規定される剛度が１６５０ｍＮ以上であり、
前記個別利用片が区画形成された紙片に接着された紙片には、前記複数の個別利用片に対向する領域のそれぞれに、当該個別利用片に対応する通知情報が表示されている、情報通知シート。
【発明の詳細な説明】
【技術分野】
【０００１】
本発明は、複数の紙片が重ね合わされて剥離可能に接着されてなる情報通知シートに関する。
【背景技術】
【０００２】
従来より、商品の広告、販売促進等の手段としてダイレクトメールが利用されている。ダイレクトメールは、差出人が受取人に通知したい情報が文字や画像として所定の用紙に印字されており、近年では、このようなダイレクトメールの１つの形態として、複数の紙片が重ね合わされて剥離可能に接着されてなる圧着はがきを用いたものもある。このようにダイレクトメールとして圧着はがきを用いることで、１枚のはがきを用いる場合と比べて多くの情報を通知することができるようになる。
【０００３】
ところで、ダイレクトメールは、受取人が興味を示さず、印字された情報を読まずに捨てられてしまう場合もある。そこで、ダイレクトメールにクーポン券を分離可能に包含させておき、それにより、ダイレクトメールに興味を持ってもらうことが考えられている（例えば、特許文献１参照）。また、上述したように圧着はがきを用いたダイレクトメールにおいても同様に、クーポン券を包含させておけば、多くの情報を通知することができるとともに、ダイレクトメールに興味をもってもらうことができるようになる。
【０００４】
図７は、圧着はがきを用いたダイレクトメールの一構成例を示す図であり、（ａ）は表面図、（ｂ）は（ａ）に示したＡ−Ａ’断面図、（ｃ）は裏面図である。
【０００５】
本例のダイレクトメールは図７に示すように、折り部１４０を介して連接した表紙片１１０と裏紙片１２０とが、折り部１４０を中心として折り畳まれ、折り畳み状態内側に塗布された感圧接着剤１５０によって剥離可能に接着されて構成されている。そして、裏紙片１２０には、タイ部とカット部とが交互に連続してなるミシン線１２３ａ〜１２３ｄが縦方向及び横方向にそれぞれ伸びるように形成されており、それにより、４つのクーポン券１２１ａ〜１２１ｄが裏紙片１２０から分離可能に区画形成されている。
【０００６】
図８は、図７に示したダイレクトメール１０１の使用方法を説明するための図である。
【０００７】
図７に示したダイレクトメール１０１が受取人に届けられると、まず、図８（ａ）に示すように、表紙片１１０と裏紙片１２０とが剥離されていく。表紙片１１０と裏紙片１２０とは、上述したように感圧接着剤１５０によって剥離可能に接着されているため、容易に剥離することができる。
【０００８】
表紙片１１０と裏紙片１２０とが完全に剥離されてダイレクトメール１０１が見開かれると、図８（ｂ）に示すように、表紙片１１０の裏紙片１２０との接着面に表示された通知情報１１１が視認可能な状態となり、この通知情報１１１がダイレクトメール１０１の受取人に通知されることになる。
【０００９】
そして、ダイレクトメール１０１の受取人がクーポン券１２１ａ〜１２１ｄを使用する場合は、図８（ｃ）に示すように、受取人が使用したクーポン券に応じてミシン線１２３ａ〜１２３ｄが破断されていくことにより、所望のクーポン券が裏紙片１２０から分離されることになる。
【００１０】
また、近年では、複数の紙片が重ね合わされて剥離可能に接着されて構成されるものとして、上述した圧着はがきに限らず、はがきよりも大判の例えばＡ４判の複数の紙片が重ね合わされてその全面にて剥離可能に接着されてなる通知物が流通しているが、そのような大判の通知物においても、上記のようにクーポン券を包含させておくことにより、通知物の受取人に興味をもってもらうことができる。
【先行技術文献】
【特許文献】
【００１１】
【特許文献１】特開２００１−２４６８８１号公報
【発明の概要】
【発明が解決しようとする課題】
【００１２】
上述した圧着はがきや大判の通知物のように複数の紙片が重ね合わされて剥離可能に接着されてなる情報通知シートにクーポン券を包含させたものにおいては、クーポン券を情報通知シートから分離して使用するためには、情報通知シートを開封した上で、クーポン券を情報通知シートから分離する必要がある。そのため、分離する部分によってはクーポン券を分離しにくい場合があり、また、情報通知シートの折り畳み状態内側の面に表示された情報を通知するという目的を達成するためには好ましい構成であるものの、情報通知シートの開封前の状態においてクーポン券を分離することが容易ではない。
【００１３】
また、図７及び図８に示したダイレクトメール１０１に含有されたクーポン券１２１ａ〜１２１ｄのうち、裏紙片１２０の端辺に沿わないクーポン券１２１ａを使用する場合、そのクーポン券１２１ａに裏紙片１２０の端辺側に隣接するクーポン券１２１ｂあるいはクーポン券１２１ｃを裏紙片１２０から分離しなければ、クーポン券１２１ａを裏紙片１２０から分離することができず、裏紙片１２０から分離したクーポン券１２１ｂ，１２１ｃを後日使用する場合に、裏紙片１２０から分離していることで紛失してしまっている虞れがある。
【００１４】
本発明は、上述した従来の技術が有する問題点に鑑みてなされたものであって、複数の紙片が重ね合わされて剥離可能に接着されてなる情報通知シートにおいて、複数の紙片のうち複数の紙片が接着された状態で表出する１つの紙片に分離可能に設けられた一部の領域のみを、情報通知シートを開封することなく容易に分離することができる情報通知シートを提供することを目的とする。
【課題を解決するための手段】
【００１５】
上記目的を達成するために本発明は、
複数の紙片が重ね合わされて剥離可能に接着されてなる情報通知シートであって、
前記複数の紙片のうち該複数の紙片が接着された状態で表出する１つの紙片には、複数の個別利用片がミシン線またはハーフスリットによって互いに分離可能に区画形成されており、
前記複数の紙片は、前記接着された状態での厚みが２００μｍ以上で、かつ、前記接着された状態でのガーレー法で規定される剛度が１６５０ｍＮ以上であり、
前記個別利用片が区画形成された紙片に接着された紙片には、前記複数の個別利用片に対向する領域のそれぞれに、当該個別利用片に対応する通知情報が表示されている。
【００１６】
上記のように構成された本発明においては、複数の紙片が重ね合わされて剥離可能に接着された状態で、ミシン線またはハーフスリットが形成された紙片が外側となるようにミシン線またはハーフスリットを中心として折り畳まれると、ミシン線またはハーフスリットが形成された領域において、ミシン線またはハーフスリットが形成された紙片の厚みによって複数の紙片間で周径差が生じる。その際、複数の紙片が、接着された状態での厚みが２００μｍ以上で、かつ、接着された状態でのガーレー法で規定される剛度が１６５０ｍＮ以上であることにより、その周径差によって、折り畳みの中心となったミシン線またはハーフスリットが、ミシン線またはハーフスリットが伸びる方向とは直交する方向に引っ張られていき、この引っ張り力によって破断することになる。そして、ミシン線またはハーフスリットの破断した領域を分離開始端として一部の領域を紙片から分離していくことができる。
【００１７】
このように、複数の紙片が重ね合わされて剥離可能に接着された状態で、ミシン線またはハーフスリットが形成された紙片が外側となるようにミシン線またはハーフスリットを中心として折り畳むことによってミシン線またはハーフスリットが破断するので、ミシン線またはハーフスリットの破断した領域を分離開始端として一部の領域を紙片から分離していけば、複数の紙片が接着された状態で表出する１つの紙片に分離可能に設けられた一部の領域のみを、情報通知シートを開封することなく容易に分離することができる。
【００１８】
また、複数の紙片が接着された状態で表出する１つの紙片が、分離可能な一部の領域を複数有し、ミシン線またはハーフスリットが、その複数の一部の領域がマトリックス状に配置されるように形成されている構成とすることも考えられる。その場合、ミシン線またはハーフスリットを中心として折り畳めば、一度に複数の一部の領域について上述した分離開始端を形成することができる。
【発明の効果】
【００１９】
本発明によれば、複数の紙片が重ね合わされて剥離可能に接着されてなる情報通知シートにおいて、複数の紙片のうち該複数の紙片が接着された状態で表出する１つの紙片に、当該紙片から一部の領域を分離可能とするミシン線またはハーフスリットが形成されており、複数の紙片が、接着された状態での厚みが２００μｍ以上で、かつ、接着された状態でのガーレー法で規定される剛度が１６５０ｍＮ以上であるため、複数の紙片が重ね合わされて剥離可能に接着された状態で、ミシン線またはハーフスリットが形成された紙片が外側となるようにミシン線またはハーフスリットを中心として折り畳むことによってミシン線またはハーフスリットが破断することとなり、ミシン線またはハーフスリットの破断した領域を分離開始端として一部の領域を紙片から分離していくことで、複数の紙片が接着された状態で表出する１つの紙片に分離可能に設けられた一部の領域のみを、情報通知シートを開封することなく容易に分離することができる。
【図面の簡単な説明】
【００２０】
【図１】本発明の情報通知シートの実施の一形態を示す図であり、（ａ）は表面図、（ｂ）は（ａ）に示したＡ−Ａ’断面図、（ｃ）は裏面図である。
【図２】図１に示したダイレクトメールを開封した状態を示す図であり、（ａ）は一方の面を示す図、（ｂ）は他方の面を示す図である。
【図３】図１に示したダイレクトメールにおいてクーポン券の使用方法及びその際の作用を説明するための図である。
【図４】図１に示したダイレクトメールが、裏紙片が外側となるようにミシン線を中心として折り畳まれた場合に生じる作用を説明するための図である。
【図５】重ね合わされる複数の紙片の厚みや剛度を変えて、図４に示したような作用が生じるかどうかの実験を行った結果を示す図である。
【図６】図１に示したダイレクトメールにおいて所望のクーポン券が裏紙片から分離された後に表紙片と中紙片とを剥離する際の使用方法を説明するための図である。
【図７】圧着はがきを用いたダイレクトメールの一構成例を示す図であり、（ａ）は表面図、（ｂ）は（ａ）に示したＡ−Ａ’断面図、（ｃ）は裏面図である。
【図８】図７に示したダイレクトメールの使用方法を説明するための図である。
【発明を実施するための形態】
【００２１】
以下に、本発明の実施の形態について図面を参照して説明する。
【００２２】
図１は、本発明の情報通知シートの実施の一形態を示す図であり、（ａ）は表面図、（ｂ）は（ａ）に示したＡ−Ａ’断面図、（ｃ）は裏面図である。図２は、図１に示したダイレクトメールを開封した状態を示す図であり、（ａ）は一方の面を示す図、（ｂ）は他方の面を示す図である。
【００２３】
本形態は図１及び図２に示すように、表紙片１０、中紙片３０及び裏紙片２０が折り部４０ａ，４０ｂを介してこの順で連接して構成され、表紙片１０と中紙片３０とが折り部４０ａを中心として折り畳まれ、また、中紙片３０と裏紙片２０とが折り部４０ｂを中心として折り畳まれ、これら表紙片１０と中紙片３０、中紙片３０と裏紙片２０とが感圧接着剤５０によってそれぞれ剥離可能に接着されて構成された圧着はがき形態のダイレクトメール１である。すなわち、本形態におけるダイレクトメール１においては、表紙片１０と中紙片３０と裏紙片２０とが折り部４０ａ，４０ｂを基点としてＺ状に折り畳まれることによって重ね合わされた状態で、表紙片１０と中紙片３０、中紙片３０と裏紙片２０とがそれぞれ剥離可能に接着されて構成されている。なお、感圧接着剤５０は、表紙片１０及び裏紙片２０の中紙片３０との接着面、並びに中紙片３０の両面に塗布されており、ダイレクトメール１が上述したようにＺ状に折り畳まれた状態で圧力が加わることで、表紙片１０と中紙片３０、中紙片３０と裏紙片２０とがそれぞれ感圧接着剤５０によって剥離可能に接着されることになる。なお、本形態においては、表紙片１０、裏紙片２０及び中紙片３０として、用紙の厚みが１６０μｍの三菱製紙社製のフォーム紙（ＩＪ用紙）を用い、これに情報を印刷・印字した後、天然ゴムラテックス変性体を主成分とする水性エマルジョン型感圧接着剤を、塗布量が０．５〜５ｇ／ｍ2となるように感圧接着剤５０として塗布、乾燥し、上記のようにＺ状に折り畳んだ後、隙間が３００μｍに設定されたロールシーラーで加圧して表紙片１０と中紙片３０、中紙片３０と裏紙片２０とをそれぞれ剥離可能に接着している。このように作製されたダイレクトメール１は、全体の厚みが４１１μｍ、ガーレー法で規定される縦方向の剛度の平均が１２０４４ｍＮ、横方向の剛度の平均が１０００８ｍＮ、表紙片１０と中紙片３０、中紙片３０と裏紙片２０との接着力がそれぞれ２３４ｇｆ／６インチ、透気度が１４０ｓであった（後述する図５に示す試料１）。なお、ガーレー法で規定される剛度とは、熊谷理機工業社製の装置「ガーレーステフネステスター（自動式）」を用いて測定したものであり、後述する図５の試料１，４，６，８，１０においてはおもりを２００ｇとし、試料２，３，５，７，９においては５０ｇとして測定した。
【００２４】
裏紙片２０は、ダイレクトメール１が上記のようにＺ状に折り畳まれ、表紙片１０と中紙片３０、中紙片３０と裏紙片２０とがそれぞれ剥離可能に接着された状態で表出する紙片となる。また、裏紙片２０には、タイ部とカット部とが交互に連続してなるミシン線２３ａ〜２３ｄが形成されている。ミシン線２３ａは、裏紙片２０を中紙片３０との連接方向に二等分するように形成されている。ミシン線２３ｂは、折り部４０ｂの近傍に折り部４０ｂに沿って形成されている。ミシン線２３ｃ，２３ｄは、裏紙片２０を中紙片３０との連接方向に直交する方向に三等分するように形成されている。これらミシン線２３ａ〜２３ｄが上記のように形成されることにより、裏紙片２０には、６つのクーポン券２１ａ〜２１ｆがマトリックス状に配置され、裏紙片２０から一部の領域として分離可能に区画形成されている。これらクーポン２１ａ〜２１ｆのそれぞれには、裏紙片２０が中紙片３０と接着された状態で表出する面に、クーポン情報２２ａ〜２２ｆが表示されているとともに、それとは反対側の面に、クーポン券２１ａ〜２１ｆの使用方法を示す使用方法情報２４ａ〜２４ｆが表示されている。なお、この使用方法情報２４ａ〜２４ｆには、クーポン券２１ａ〜２１ｆの種別や内容を識別するためのバーコード情報が含まれている。
【００２５】
表紙片１０は、裏紙片２０と同一の形状を有している。表紙片１０の中紙片３０と接着された状態で表出する面には、ダイレクトメール１の送付先の住所や氏名を印字するための宛先情報表示領域１３が設けられているとともに、ダイレクトメール１の送付先に通知すべき通知情報１１が表示されている。表紙片１０のそれとは反対側の面には、ダイレクトメール１の送付先に通知すべき通知情報１２ａ，１２ｂが表示されている。この通知情報１２ａ，１２ｂは、ダイレクトメール１が上記のようにＺ状に折り畳まれた場合にミシン線２３ａに重なる領域を境界としてそれぞれ表示されている。
【００２６】
中紙片３０は、表紙片１０及び裏紙片２０との連接方向の長さが、これら表紙片１０及び裏紙片２０よりも若干長くなっている。そのため、ダイレクトメール１が上記のようにＺ状に折り畳まれて、表紙片１０と中紙片３０、中紙片３０と裏紙片２０とがそれぞれ接着された状態では、表紙片１０との接着面においては折り部４０ａとは反対側の辺の近傍、裏紙片２０との接着面においては折り部４０ｂとは反対側の辺の近傍の領域が、表紙片１０や裏紙片２０と重ならず表出している。中紙片３０の裏紙片２０との接着面には、ダイレクトメール１が上記のようにＺ状に折り畳まれた場合にクーポン券２１ａ〜２１ｆに対向する領域のそれぞれに、クーポン情報２２ａ〜２２ｆの詳細を示す通知情報３１ａ〜３１ｆが表示されている。また、中紙片３０の表紙片１０との接着面には、ダイレクトメール１の送付先に通知すべき通知情報３２ａ，３２ｂが表示されている。この通知情報３２ａ，３２ｂは、ダイレクトメール１が上記のようにＺ状に折り畳まれた場合にミシン線２３ａに対向する領域を境界としてそれぞれ表示されている。
【００２７】
以下に、上記のように構成されたダイレクトメール１の使用方法及びその際に生じる作用について説明する。
【００２８】
まず、上述したダイレクトメール１においてクーポン券２１ａ〜２１ｆの使用方法及びその際に生じる作用について説明する。
【００２９】
図３は、図１に示したダイレクトメール１においてクーポン券２１ａ〜２１ｆの使用方法及びその際の作用を説明するための図である。図４は、図１に示したダイレクトメール１が、裏紙片２０が外側となるようにミシン線２３ａを中心として折り畳まれた場合に生じる作用を説明するための図である。
【００３０】
図１に示したダイレクトメール１が受取人に届けられた後、ダイレクトメール１が図１に示したように折り部４０ａ，４０ｂを基点としてＺ状に折り畳まれ、表紙片１０と中紙片３０、裏紙片２０と中紙片２０とがそれぞれ剥離可能に接着された状態で、図３（ａ）に示すように裏紙片２０が外側となるようにミシン線２３ａを中心として折り畳まれると、ミシン線２３ａが形成された領域において裏紙片２０の厚みによって裏紙片２０と中紙片３０との間で周径差が生じる。
【００３１】
そして、裏紙片２０と中紙片３０とが感圧接着剤５０によって接着されていることにより、図４（ａ）に示すように、裏紙片２０において、折り畳みの中心となっているミシン線２３ａが形成された領域に、上記周径差によって、ミシン線２３ａが伸びる方向とは直交する方向である中紙片３０との連接方向への引っ張り力が加わる。
【００３２】
すると、ミシン線２３ａを構成するカット部が、裏紙片２０と中紙片３０との連接方向に引っ張られて伸びていくことでその両端部から裂けはじめ、図４（ｂ）に示すようにタイ部が破断する。
【００３３】
ミシン線２３ａのタイ部が破断すると、ミシン線２３ａのカット部が全て繋がり、図３（ｂ）に示すように、クーポン券２１ａ〜２１ｆを、カット部が全て繋がったミシン線２３ａを分離開始端として裏紙片２０から分離することができるような状態となる。
【００３４】
そこで、図３（ｂ），（ｃ）に示すように、カット部が全て繋がったミシン線２３ａを分離開始端とし、ミシン線２３ｃ，２３ｄのタイ部を破断していくことにより、クーポン券２１ａ〜２１ｆのうち所望のクーポン券のみを裏紙片２０から分離することができる。この際、裏紙片２０と中紙片３０とは、上述したように感圧接着剤５０によって剥離可能に接着されているため、ミシン線２３ｃ，２３ｄのタイ部を破断していくことにより、所望のクーポン券のみを中紙片３０から剥離して裏紙片２０から分離することができる。
【００３５】
裏紙片２０からクーポン券２１ａ〜２１ｆが分離されると、上述したように中紙片３０のクーポン券２１ａ〜２１ｆに対向する領域のそれぞれにクーポン情報２２ａ〜２２ｆの詳細を示す通知情報３１ａ〜３１ｆが表示されているため、図３（ｄ）に示すように、裏紙片２０から分離したクーポン券２１ｄの詳細を示す通知情報３１ｄが視認可能な状態となる。
【００３６】
このように、ダイレクトメール１がＺ状に折り畳まれて、表紙片１０と中紙片３０、裏紙片２０と中紙片３０とがそれぞれ剥離可能に接着された状態で、ミシン線２３ａが形成された裏紙片２０が外側となるようにミシン線２３ａを中心として折り畳むことにより、ミシン線２３ａにおいてタイ部が破断して全てのカット部が繋がるので、このミシン線２３ａを分離開始端としてクーポン券２１ａ〜２１ｆを中紙片３０から剥離して裏紙片２０から分離していけば、表紙片１０、中紙片３０及び裏紙片２０が接着された状態で表出する裏紙片２０に分離可能に設けられたクーポン券２１ａ〜２１ｆのみを、ダイレクトメール１を開封することなく容易に分離することができる。なお、ダイレクトメール１がミシン線２３ａを中心として折り畳まれた際に、上記のようにミシン線２３ａを構成するカット部がその両端部から裂けていきタイ部が破断するためには、カット部とタイ部との割合を例えば、２：１〜１：２とすることが考えられ、より好ましくは、１：１とすることが考えられる。
【００３７】
なお、上述したように表紙片１０、裏紙片２０及び中紙片３０を、ミシン線２３ａを中心として折り畳むのではなく、ミシン線２３ｃやミシン線２３ｄを中心として折り畳んだ場合でも、ミシン線２３ｃ，２３ｄを構成するタイ部が破断し、タイ部が破断したミシン線２３ｃ，２３ｄを剥離開始端としてクーポン券２１ａ〜２１ｆを裏紙片２０から分離することができる。いずれの場合においても、裏紙片２０に６つのクーポン券２１ａ〜２１ｆがマトリックス状に配置されているため、ミシン線２３ａ，２３ｃ，２３ｄを中心としてダイレクトメール１を折り畳むことにより、一度に複数のクーポン券について剥離開始端を形成することができる。
【００３８】
また、本形態においては、表紙片１０、中紙片３０及び裏紙片２０が折り部４０ａ，４０ｂを介してこの順で連接して構成され、これらがＺ状に折り畳まれて剥離可能に接着されて構成された圧着はがき形態のダイレクトメール１を例に挙げて説明したが、連接する紙片の数は複数であれば３つに限らず、また、剥離可能に接着される複数の紙片は連接していなくてもよい。また、圧着はがき形態に限らず、はがきよりも大判の例えばＡ４判の複数の紙片が重ね合わされてその全面にて剥離可能に接着されてなる大判の通知物にも適用することができる。
【００３９】
ところで、上述した作用が生じるかどうかは、情報通知シートを構成する複数の紙片の厚みや剛度に依存していることが予想される。そこで、情報通知シートを構成する紙片の厚みや剛度を変えて上述した作用が生じるかどうかについて実験を行った。
【００４０】
図５は、重ね合わされる複数の紙片の厚みや剛度を変えて、図４に示したような作用が生じるかどうかの実験を行った結果を示す図である。なお、本実験では、複数の紙片を感圧接着剤によって接着する際、複数の紙片をロールシーラーで挟み込んで加圧しているため、圧力としてロールシーラーの隙間を規定している。また、図５に示す厚みとは、重ね合わされて接着された複数の紙片全体の厚みを示す。また、剛度縦ＲＬ平均とは、図１に示したダイレクトメール１で言えば、図１中上下方向の剛度の平均、剛度横ＲＬ平均とは、図１に示したダイレクトメール１で言えば、図１中左右方向の剛度の平均を示す。また、透気度とは、重ね合わされた複数の紙片の一方の面側から空気を吹き付け、その空気が他方の側に抜けるまでの時間を示す。また、評価の縦とは、図１に示したダイレクトメール１で言えば図１中上下方向に伸びたミシン線２３ａを中心として折り畳んだときにミシン線２３ａが破断したものを○、破断しなかったものを×とし、評価の横とは、図１に示したダイレクトメール１で言えば図１中左右方向に伸びたミシン線２３ｃ，２３ｄを中心として折り畳んだときにミシン線２３ｃ，２３ｄが破断したものを○、破断しなかったものを×とした。なお、図１に示したダイレクトメール１を図１中上下方向に伸びたミシン線２３ａを中心として折り畳むときは、図１中左右方向の剛度がミシン線２３ａの破断状態に影響を与え、また、図１に示したダイレクトメール１を図１中左右方向に伸びたミシン線２３ｃ，２３ｄを中心として折り畳むときは、図１中上下方向の剛度がミシン線２３ｃ，２３ｄの破断状態に影響を与える。また、ミシン線を構成するカット部とタイ部との割合は、全ての試料において１：１とした。
【００４１】
上記のような条件及び項目について、複数の紙片が重ね合わされて剥離可能に貼着された情報通知シートを、ミシン線を中心として縦方向に折り畳んだ場合と横方向に折り畳んだ場合とで、ミシン線を構成するタイ部が破断するかどうかの実験を行った。
【００４２】
図５に示す試料１は、図１に示したダイレクトメール１のものであり、試料２〜６は、図１に示したダイレクトメール１と同様の用紙を用いたものである。
【００４３】
図５に示すように、試料１〜６の情報通知シートのうち、試料１，２，５，６については、いずれもミシン線を構成するタイ部が破断した。一方、試料３，４については、複数の紙片が重ね合わされた状態で加圧により接着されておらず、いずれもミシン線を構成するタイ部は破断しなかった。
【００４４】
また、試料７〜１０は、紙片１枚の厚みが１０５μｍの王子製紙社製の上質紙を用い、メタクリル酸メチルを共重合させた天然ゴムラテックスを主成分とする水性エマルジョン型感圧接着剤を、塗布量が３．５〜１０ｇ／ｍ2となるように感圧接着剤として塗布、乾燥し、情報を印刷・印字した後、重ね合わせてロールシーラーを用いて加圧し、複数の紙片を剥離可能に接着したものである。
【００４５】
図５に示すように、試料７〜１０の情報通知シートのうち、試料７については、縦方向、すなわち、図１に示したダイレクトメール１で言えば図１中上下方向に伸びたミシン線２３ａを構成するタイ部が破断しなかった。また、試料８については、縦方向、すなわち、図１に示したダイレクトメール１で言えば図１中上下方向に伸びたミシン線２３ａを構成するタイ部が破断した。また、試料９については、縦方向、すなわち、図１に示したダイレクトメール１で言えば図１中上下方向に伸びたミシン線２３ａを構成するタイ部が破断せず、横方向、すなわち、図１に示したダイレクトメール１で言えば図１中左右方向に伸びたミシン線２３ｃ，２３ｄを構成するタイ部が破断した。また、試料１０については、縦方向、すなわち、図１に示したダイレクトメール１で言えば図１中上下方向に伸びたミシン線２３ａを構成するタイ部が破断した。
【００４６】
上述した実験結果を参照すると、ミシン線を中心として折り畳んだ際にミシン線を構成するタイ部が破断するためには、まず、複数の紙片が加圧によって接着されていることが前提となる。また、複数の紙片全体の厚みについては、試料７のように複数の紙片全体の厚みが１９１μｍではタイ部が破断せず、試料９のように複数の紙片全体の厚みが２０２μｍではタイ部が破断していることから、タイ部が破断するためには、２００μｍ以上の厚みが必要となる。さらに、複数の紙片全体の剛度については、試料９のように剛度が１６８２ｍＮであればそれに直交する方向に情報通知シートを折り畳んだ場合にタイ部が破断し、剛度が１０５９ｍＮであればそれに直交する方向に情報通知シートを折り畳んだ場合にタイ部が破断しないことから、タイ部が破断するためには、１６５０ｍＮ以上の剛度が必要となる。
【００４７】
このように、複数の紙片が重ね合わされて剥離可能に接着されてなり、複数の紙片のうち該複数の紙片が接着された状態で表出する１つの紙片に、タイ部とカット部とが交互に連続してなり、当該紙片から一部の領域を分離可能とするミシン線が形成されている情報通知シートにおいては、複数の紙片が接着された状態での厚みが２００μｍ以上で、かつ、接着された状態でのガーレー法で規定される剛度が１６５０ｍＮ以上であれば、ミシン線が形成された紙片が外側となるようにミシン線を中心として折り畳むことにより、そのミシン線を構成するタイ部が破断し、その領域を分離開始端として一部の領域を紙片から分離していくことで、複数の紙片が接着された状態で表出する１つの紙片に分離可能に設けられた一部の領域のみを、情報通知シートを開封することなく分離することができる。
【００４８】
次に、上記のようにして所望のクーポン券が裏紙片２０から分離された後に表紙片１０と中紙片３０とを剥離する際の使用方法について説明する。
【００４９】
図６は、図１に示したダイレクトメール１において所望のクーポン券が裏紙片２０から分離された後に表紙片１０と中紙片３０とを剥離する際の使用方法を説明するための図である。
【００５０】
上記のようにして所望のクーポン券が裏紙片２０から分離されると、図６（ａ）に示すように、表紙片１０、裏紙片２０及び中紙片３０には、これらを上述したように折り畳んだことによってミシン線２３ａに重なる領域に折り目１４が生じている。
【００５１】
この状態で、図６（ａ）に示すように表紙片１０を中紙片３０から剥離していくと、ミシン線２３ａに重なる領域に折り目１４が生じていることから、表紙片１０のミシン線２３ａに重なる領域を基点としてそれよりも折り部４０ａとは反対側の領域のみを見開いた状態にすることができる。なおこの際、表紙片１０と中紙片３０とは、上述したように感圧接着剤５０によって剥離可能に接着されているため、表紙片１０を中紙片３０から容易に剥離することができる。
【００５２】
すると、図６（ｂ）に示すように、表紙片１０の中紙片３０との接着面に表示された通知情報１２ａ，１２ｂのうち、ミシン線２３ａに重なる領域から折り部４０ａとは反対側の領域に表示された通知情報１２ａのみが視認可能となり、また、中紙片３０の表紙片１０との接着面に表示された通知情報３２ａ，３２ｂのうち、ミシン線２３ａに重なる領域から折り部４０ｂ側の領域に表示された通知情報３２ｂのみが視認可能となる。
【００５３】
このように、所望のクーポン券を裏紙片２０から分離するために、表紙片１０、裏紙片２０及び中紙片３０を上述したように折り畳んだことによってミシン線２３ａに重なる領域に折り目１４が生じていても、この折り目１４を利用して複数の情報を通知することができるようになる。
【００５４】
その後、表紙片１０が中紙片３０から完全に剥離されると、図６（ｃ）に示すように、表紙片１０の中紙片３０との接着面に表示された通知情報１２ａ，１２ｂが視認可能となるとともに、中紙片３０の表紙片１０との接着面に表示された通知情報３２ａ，３２ｂが視認可能となる。
【００５５】
なお、上述した実施の形態においては、カット部とタイ部とが交互に連接してなるミシン線を用いたものを例に挙げて説明したが、ミシン線の代わりにハーフスリット等を用いてもよい。ハーフスリット等を用いた場合でも、ハーフスリット等が形成された紙片が外側となるようにハーフスリット等を中心として折り畳まれると、ハーフスリット等が形成された領域において、ハーフスリット等が形成された紙片の厚みによって複数の紙片間で周径差が生じ、その周径差によって、折り畳みの中心となったハーフスリット等が、ハーフスリット等が伸びる方向とは直交する方向に引っ張られていき、この引っ張り力によって破断することになる。
【符号の説明】
【００５６】
１    ダイレクトメール
１０    表紙片
１１，１２ａ，１２ｂ，３１ａ〜３１ｆ，３２ａ，３２ｂ    通知情報
１３    宛先情報表示領域
１４    折り目
２０    裏紙片
２１ａ〜２１ｆ    クーポン券
２２ａ〜２２ｆ    クーポン情報
２３ａ〜２３ｄ    ミシン線
２４ａ〜２４ｆ    使用方法情報
３０    中紙片
４０ａ，４０ｂ    折り部
５０    感圧接着剤
【図１】
0006498878.tif 000002
【図２】
0006498878.tif 000003
【図３】
0006498878.tif 000004
【図４】
0006498878.tif 000005
【図５】
0006498878.tif 000006
【図６】
0006498878.tif 000007
【図７】
0006498878.tif 000008
【図８】
0006498878.tif 000009